(57)【要約】      （修正有）【課題】天板を傾斜したり水平に戻したりすることができ、正しい姿勢で勉強やデスクワークができる机、並びに机を複数備えた長机及び円卓を提供する。【解決手段】天板を奥行に向って複数個に分割され、自在の角度で折り曲げられるように蝶番６Ａ、６Ｅで連結した、最後部の分割天板８Ｆを机本体に連結して前面側を傾動自在とした天板と、最前部の分割天板８Ｆの裏面に固着した略柱体９と、最前部の分割天板８Ａの前端直下に形成した補助天板４と、底板１１上に立設した左右傾斜案内支持部材１５上に形成した傾斜案内部材１４の前端部に設けた傾斜角設定手段２０とを備え、最前部の分割天板８Ａの表面後方左右に設けた半回転取手７を介して最前部の分割天板８Ａを所望の角度に傾斜したり水平に戻したりできる机、並びに机を１ユニットとして独立して用いる他、複数ユニットを配置して集合型机とした。【選択図】図１
2016104117.tif 000002
【特許請求の範囲】
【請求項１】
底板、左右側板、背面板を有する箱型の机本体と、その天板の全部又は一部を奥行に向って複数個に分割され、自在の角度で折り曲げられるように連結した、該最後部の分割天板の後端を机本体に連結して前面側を傾動自在とした形態の天板と、該最前部の分割天板の裏面に固着した略柱体と、前記最前部の分割天板の前端直下の左右傾斜案内支持部材上に形成した補助天板と、底板上に立設した前記左右傾斜案内支持部材上に形成した傾斜案内部材の前端部に設けた傾斜角設定手段とを備え、前記分割天板の全部又は一部を天板後方に移動したり前方に戻したりすることにより、天板を所望の角度に傾斜したり水平に戻したりできることを特徴とする天板傾斜角可変机。
【請求項２】
本特許の請求項１に記載の略柱体が、最前部の分割天板と隣り合う二番目の分割天板とがなす所望の平面角と同角度の内角を有する面分から成る略直角柱状の構造体であり、天板傾斜角可変机の最前部の分割天板の裏面に固着される略柱体の底面の内角が、１５〜１３０度であって、最前部の分割天板の傾斜角が１０〜６０度であることを特徴とする請求項１に記載の天板傾斜角可変机。
【請求項３】
底板、左右側板、背面板を有する箱型の机本体と、その天板の全部又は一部を奥行に向って複数個に分割され、連結した、該最後部の分割天板の後端を机本体に連結して前面側を傾動自在とした形態の天板と、該最前部の分割天板の裏面に固着した略柱体と、前記最前部の分割天板の前端直下の左右傾斜案内支持部材上に形成した補助天板と、底板上に立設した前記左右傾斜案内支持部材上に形成した傾斜案内部材の前端部に設けた傾斜角設定手段とを備え、前記分割天板の全部又は一部を天板後方に移動したり前方に戻したりすることにより、天板を所定の角度に傾斜したり水平に戻したりできることを特徴とする天板傾斜角可変机。
【請求項４】
本特許の請求項３に記載の傾斜角設定手段が、底板上に立設した左右傾斜案内支持部材上に形成した傾斜案内部材の前端部を切欠いて設けた係合切除部に取付けた傾斜角設定片ホルダーと、予め所定の傾斜角に準備した１ないし複数種の傾斜角設定片とで成り、選択した１種の傾斜角設定片を左右の傾斜角設定片ホルダーにそれぞれ嵌め込み、そこに最前部の分割天板の前端下部を係止させ、所定の傾斜角を形成することを特徴とする請求項３に記載の天板傾斜角可変机。
【請求項５】
本特許の請求項３に記載の傾斜角設定手段が、底板上に立設した左右傾斜案内支持部材上に形成した傾斜案内部材の前端部を切欠いて設けた係合切除部上に、最前部の分割天板の前端下部を係止させて、所定の傾斜角を形成することを特徴とする請求項３に記載の天板傾斜角可変机。
【請求項６】
本特許の請求項１ないし請求項５のいずれかに記載の天板傾斜角可変机を１ユニットとして、２ユニット以上を組み合わせて成る集合型天板傾斜角可変机。
【発明の詳細な説明】
【技術分野】
【０００１】  本発明は、天板傾斜角可変机、より詳しくは、学習机、事務用机、ＯＡ機器用机、学校用机、製図用机、会議用机、閲覧用机等として使用される机の天板を楽に且つ瞬時に傾斜したり水平に戻したりすることができる普遍的な机並びに当該机を１ユニットとして、複数ユニット備えた長机及び円卓に関するものである。
【背景技術】
【０００２】  従来、机の天板は一般的に水平状態である。しかし、天板の奥の位置にある書類や書籍の文字等を目に近付けて見易くして、健康上良くないとされている前屈み姿勢や猫背姿勢を正すため、天板が傾斜する機構を備えた机等、様々な提案がなされている。なお、会議や講義等に使用される机の天板が傾斜する機構を備えた長机及び円卓の具体的提案は見られない。【０００３】  例えば、特許文献１に記載されている天板角度調整機構付き机は、その上部が机の前面側下向きに傾斜する左右の枠体と、後端を机本体に軸着し前面側を開閉可能とした天板とを備え、前記左右枠体に回転軸で軸着した左右両側の角度調整部材を手で回転軸上に立ち上げたり、前方に倒したり、後方に倒したりして調整した上で、前記天板を水平並びに２種の所定角度に調整できるものである。【０００４】  特許文献２に記載されている卓上型作業台は、土台部と、天板を下側から支持する天板支持体と、該天板支持体上を前後に滑動可能な天板とを備え、天板支持体の左右両端に設置され前後に回動可能な支持脚の端部を、左右両端の取手を手で握って回転させ、土台部に設けた左右凸部に係止させて、天板を３種の所定傾斜角度に固定できるものである。そして、卓上型作業台上にノート型パソコン、書物等を載置して使用するものである。【０００５】  特許文献３に記載されている学習机は、後部が上昇するように前縁部が傾動自在に机本体に連結されている天板と、その天板を傾動させる上下機構を該天板の裏面下方に備えているものであり、クランクハンドルを手で回してネジ棒を回転させ上下機構を駆動し、天板を下面から押し上げて順次に最適角度に無段階調整して固定できるものである。【０００６】  特許文献４に記載されている机は、パイプフレーム構造による一実施例であり、左右両端部に固定金具と回転金具とで構成されたラチェット機構を有する支持アームを備え、この支持アームの上部に設けた天板の後部を片手で掴持して上方に引き上げることで、回転金具が回転して、複数（実施例では２種類）の所定傾斜角度に段階的に調節したり、所定の解除操作により水平に戻したりすることができるものである。【０００７】  特許文献５に記載されている机等の天板支持構造は、天板受部の前端部に天板を傾動自在に軸着し、該天板の裏面に回動自在に取付けた支持部材の下端部を、天板受部に配置した係止部材の係合凹部（実施例では１個）及び案内部材に、天板を手で持って前後操作して、順次に係止又は係脱させて天板を傾斜したり水平にしたりできるものである。【０００８】  特許文献６に記載されている机等の天板傾斜角度調節装置は、基台の前端部に傾動自在に軸着した天板の裏面に形成した水平杵部を、基台の後方左右両端に設けた複数の係合凹部に、天板の左右両端を手で持って操作し、順次に係合せしめるようにしたものである。【０００９】  特許文献７に記載されている天板の高さや傾きを調節できる事務用机は、下脚部を両サイドに有する下側本体と、昇降可能に組み付けられた上脚部を両サイドに有する上側本体とを備え、机前面部において天板の高さ調節用ハンドルを手で回転して、所定の高さに設定できるものである。また、机前面部左端のロック解除レバーを手前に引き寄せ��机の前縁部において上側本体に傾動自在に連結された天板と上側本体との間に設けられたガススプリング式シリンダのガス圧によって押し上げられる天板を上から手で押えつつ好みの傾斜角度に設定し、ロック解除レバーを手から離して傾きを調節できるものである。【００１０】  これらの特許文献にみられるように、机等の天板を傾斜させる機構の殆どが基台の前端部に天板を傾動自在に軸着し、該天板の後端部を上下させて傾斜角度を調節する形態である。【００１１】  そして、特許文献４のように、天板の左右端部中程に設けた回転金具や回転軸による形態及び特許文献１のように、天板の後端を机本体に軸着して前面側を開閉可能とした形態は珍しい。特に、特許文献１の形態は希少である。しかしながら、天板を傾斜させる目的で天板を複数個に分割し、蝶番で連結した上で、前後に移動できる天板を備えた机の具体的提案並びに複数個に分割した天板が傾斜する長机及び円卓の具体的提案は見られない。【００１２】  このように、散発的であるが少なくとも数十年以前から天板の傾斜機構を備えた机等が提案され、且つ前屈み姿勢や猫背姿勢等が改善されると言われ続けているにも拘わらず、市中の家具店やデパート及び事務機器会社などの店頭では見かけない。更に、下記の段落番号００１４で示した商品カタログ等からでも見かけることはできないのが現状である。
【先行技術文献】
【特許文献】
【００１３】
【特許文献１】  特開平０９−１０８０４１号公報
【特許文献２】  特開２０１２−１６４０５３号公報
【特許文献３】  特開２０１３−０００５１４号公報
【特許文献４】  特開２０１３−００５８７４号公報
【特許文献５】  実公昭６２−０３０９８６号公報
【特許文献６】  実開昭６２−０５９４４３号公報
【特許文献７】  実開平０５−０９５３２９号公報
【非特許文献】
【００１４】
【非特許文献１】  「イトーキ学習家具カタログ２０１４  Ｊｕｎｉｏｒ  Ｄｅｓｋ  ａｎｄ  Ｃｈａｉｒ」，株式会社イトーキ，２０１３年９月，全５８頁
【非特許文献２】  「コイズミ学習家具スタイルブックカタログ  キッズファン  ＫＯＩＺＵＭＩ  ＳＴＵＤＹ  ＦＵＲＮＩＴＵＲＥ  ２０１４」，コイズミファニテック株式会社，２０１３年８月，全８６頁
【非特許文献３】  「２０１４  オカムラスタディデスクカタログ  ＶＯＬ．９」，株式会社岡村製作所，２０１３年８月，全４４頁
【非特許文献４】  「マルニの学習デスク２０１４モデルカタログ  フレンディシリーズ  Ｆｒｉｅｎｄｙ」，株式会社マルニ木工，２０１３年８月，全２１頁
【発明の概要】
【発明が解決しようとする課題】
【００１５】  従来提案されている方法によれば、天板の傾斜角を変更する毎に片方の手で天板を持ち上げながら一方の手で天板の裏面下部或いは後方或いは左右両端に設けた角度調整部材等をセットしたり、ハンドルを手で何回も回したり、天板を上下する機構を手で或いは電動装置を用いて段階的に好みの傾斜角度になるまで設定操作をしたりして机の天板を傾斜させ、更に、傾斜した天板を水平状態に戻すには所定の操作を何回も順次に行わなければならない操作方法の煩わしさからの脱出と、学齢児童始め誰でも・使用したいときに何時でも・複雑な操作を必要としない極簡単な操作で・気軽に使用可能性と、日々の学習や読書、デスクワークを前屈み姿勢や猫背姿勢を改善して正しい姿勢で気軽に行おうとする生活習慣の見直し志向性の醸成と、傾斜した天板の保持手段・機構が軟弱或いは剥き出し等で手指が挟まれたりすることが起きない安全性と、天板の傾斜装置・機械の複雑化に伴う机の総重量、耐久性、価格に及ぼす悪影響の軽減と、天板を傾斜することにより従来の机上棚が備えられなくなったり従来のようにお茶やコーヒーカップが置けなくなったり等、従来の機能を損なうことなく従来の机の機能にプラスワン志向性と、煩雑でなくシンプルで使用者にいつまでも飽きが来ない形態と、これまでに見られない独創性と、これは主として学校用、これは学習用、これは製図用・・・という特定の範囲の机のみでなく、学校用でも、学習用でも、製図用でも、事務用でも、ＯＡ機器用でも、更に、会議用でも、閲覧用でも、長机・円卓用でも、展示用でも、・・・等、いろいろな分野にも利用できる発展性と、多様性と、しかも手頃な価格で使い易いのでより多くの使用者に親しまれる普及性を持った机が提供されることが望まれている。【００１６】  本発明が解決しょうとする課題は、前記の段落番号００１５に示した従来の天板の傾斜角を変更する際における問題点を解決し、極めて簡単で安全な機構で、学齢児童でもワンタッチ操作で楽に且つ瞬時にして天板を傾斜したり、水平に戻したりすることができるので、背中を丸めたりすることもなく正しい姿勢で勉強やデスクワークができる普遍的な机並びに当該机を複数ユニット備え、講義・学習・会議等において、常に講師や会議メンバーの顔が見える適切な正しい姿勢が取れるので相互のコミュニケーションを良くし、更に黒板やスライド・プロジェクターの画面を見ながら机上の用紙に容易にメモをとることができる天板傾斜角可変机を提供するものであり、更にそれらを複数組み合わせたいわゆる長机又は円卓に代表される集合型天板傾斜角可変机を提供することを目標とした。
【課題を解決するための手段】
【００１７】  本発明者らは、前記の段落番号００１２〜００１５で述べた従来の提案に残された課題・問題点を解決すべく鋭意検討した結果、天板を複数個に分割し、それらを独自の連結方式で組み合わせ且つ天板の傾斜角を特定の角度に傾斜するべく、略柱体の使用により、容易に安全な方法で天板を傾斜させることが可能な学校用、学習用、事務用、ＯＡ機器用、製図用、会議用、閲覧用、展示用など幅広い範囲に使用できる下記の天板傾斜角可変机を提供するものである。更に本発明の天板傾斜角可変机を１ユニットとして、複数ユニットを組み合わせた長机、円卓等の下記の集合型天板傾斜角可変机を提供する。【００１８】  本発明の更に具体的な構造と効果について詳しく述べる。
図１、図２および図３を用いて説明する。請求項１に係る発明は、底板１１、左右側板１３、背面板１２を有する箱型の天板傾斜角可変机本体１と、その天板の全部又は一部を奥行に向って天板８Ａ、８Ｂ、８Ｃ、８Ｄ、８Ｅ、８Ｆのように複数個に分割され、自在の角度で折り曲げられるように蝶番で連結した、該最後部の分割天板８Ｆの後端を天板傾斜角可変机本体１の背面板１２に連結して前面側を傾動自在とした形態の天板８Ａから８Ｅと、該最前部の分割天板８Ａの裏面に固着した略柱体９と、前記最前部の分割天板８Ａの前端直下の左右傾斜案内支持部材１５上に形成した補助天板４と、底板１１上に立設した前記左右傾斜案内支持部材１５上に形成した傾斜案内部材１４の前端部に設けた補助天板４上に傾斜角設定手段２０を備え、最前部の分割天板８Ａの表面後方左右の所定の位置に設けた半回転取手７を介してワンタッチ操作で最前部の分割天板８Ａを搖動させて、前記分割天板の全部又は一部を天板後方に移動したり前方に戻したりして、補助天板４上の傾斜角設定手段２０の所望の位置に分割天板８Ａの前端下部を係止させることにより、瞬時に最前部の分割天板８Ａを所望の角度に傾斜したり水平に戻したりできることを特徴とする天板傾斜角可変机である。更に、本提案の天板傾斜角可変机を１ユニットとして、図１３、図１４、図１５及び図１６に例示する長机、円卓等の集合型天板傾斜角可変机を提供する。なお、天板の傾斜角とは、水平面と天板との挟む角いわゆる仰角をいう。【００１９】  本発明は、構造・機構が極めて簡単であり、故障が少なく耐久性の高い机として、学齢児童や高齢者でも安全に天板の傾斜角を変更が可能な天板傾斜角可変机の提供が可能である。【００２０】  本発明の機構によれば、天板を複数個に分割し、分割天板８Ａを所望の角度に設置する毎に、該角度に応じて天板の折り曲げ位置が変更できる。例えば９個に分割され、それぞれが連結された天板傾斜角可変机では、分割天板８Ａの傾斜角の位置が７個設定できる。【００２１】  更に、詳しく説明するならば、傾斜案内部材１４の前端部に位置する補助天板４の上面には、傾斜角設定手段２０として複数個の係合切除部を設ける。これらの係合切除部によって、天板８Ａは所望する傾斜角を強固に安定して保持することができる。また、これらの係合切除部は１７１から１７４に例示した。代表的な溝の大きさ、深さは、幅２０〜４０ｍｍ、深さ１０ｍｍ程度の略Ｖ字溝が好ましい、補助天板４に設ける係合切除部の幅、深さは天板８Ａがしっかり固定される大きさ、深さであれば例示した幅、深さに限定されない。これらの係合切除部は天板８Ａの傾斜角を保持する機能だけでなく、補助天板４から鉛筆や消しゴムが床に落下するのを防ぐこともできる。【００２２】  また、この天板８Ａの前縁に補助天板４の上をおおうカバーを取り付けて、補助天板４の凹凸感を無くすようにしてもよい。カバーは、厚さ１ｍｍ程度の天然ゴム板、プリント化粧合板、裏面に不織布を貼り付けたウッドカーペット、補助天板４の半分程度の幅のマグネット付き薄板、ポリ塩化ビニール樹脂の薄板、金属板などが挙げられるが、それらの材質や形状は本特許では限定されない。【００２３】  底板１１上に立設した左右傾��案内支持部材１５上に形成した傾斜案内部材１４を前部支持部材２１近くまで伸ばし、該傾斜案内部材１４上に係合切除部を複数個設けて傾斜角設定手段としてもよい。更に、上面の前端約３０ｍｍ以後が係合切除部の溝の深さ１０ｍｍ程度で削成された補助天板を設けてもよい。或いは、補助天板４及び傾斜案内部材１４を鉄などの磁石と引き合う材質を使用して、マグネット付き薄板を用いても良い。【００２４】  天板傾斜角可変机の最前部の分割天板８Ａの表面後方左右に半回転取手７を設けることで、ワンタッチ操作で容易に且つ瞬時に天板の角度変更が可能である。このことにより特に学齢児童等が使用する学習机には安全性と作業性の容易さから有用な手段とすることができる。【００２５】  このように学齢児童でも容易に且つ瞬時に天板の角度変更が可能な本発明の天板傾斜角可変机は、利便性が高いので気軽に常に使用され、そして、傾斜した天板上の書物を読んだり或いは勉強やデスクワークをしたりする際には、従来の水平天板上の机で書物を読む場合より文字がはっきりと見え、読み易くなり、更に、正しい姿勢で楽に学習・執務・製図作業等ができるので、従来の机使用時に於いて懸案の事項であった前屈み姿勢や猫背姿勢の改善が可能である。【００２６】  請求項２に係る発明は、図３〜図５で代表的に説明する。本特許の請求項１に記載の略柱体９が、最前部の分割天板８Ａと隣り合う二番目の分割天板８Ｂとがなす所望の平面角と同角度の内角を有する面分から成る略直角柱状の構造体であり、天板傾斜角可変机の最前部の分割天板８Ａの裏面に固着される略柱体９の底面の内角Ａ１が１５〜１３０度、好ましくは略柱体９の底面の内角Ａ１が３０〜１２０度、より好ましくは略柱体９の底面の内角Ａ１が４５〜１０５度、更に好ましくは略柱体９の底面の内角Ａ１が５５〜８８度であって、最前部の分割天板８Ａの傾斜角が１０〜６０度、好ましくは最前部の分割天板８Ａの傾斜角が１２〜４５度、より好ましくは最前部の分割天板８Ａの傾斜角が１２〜３５度であることを特徴とする。
最前部の分割天板８Ａの傾斜角α１を大幅に変更する場合、所望するα１の角度に応じて分割天板８Ａ、８Ｂ及び８Ｃの奥行寸法を変更する必要がある。このように奥行寸法の異なる分割天板８Ａ、８Ｂ及び８Ｃを取り換えることは一見不合理で、上記に述べた分割天板８Ａの傾斜角α１を大幅に変更できるといえないとの見方をされる場合を予測するが、実は不合理でないことを示す。つまり、通常特定の人が使用する机の天板傾斜角度はある一定の範囲内の角度に限定されることが多い。天板の傾斜角可変机を使用する特定の人は大幅な傾斜角α１を変更するような使用方法は一般的には行わない。頻繁に分割天板８Ａの傾斜角α１を変更せず、限られた範囲内での分割天板８Ａの傾斜角α１を変更できれば使用に支障を及ぼさない。むしろ、分割天板８Ａの傾斜角α１を容易に安全に変更可能な作業性が優先される。【００２７】  本発明の天板傾斜角可変机の最前部の分割天板８Ａが所定の角度で傾斜する際には、最前部の分割天板８Ａと二番目の分割天板８Ｂとが成す平面角と、最前部の分割天板８Ａの裏面に垂設された略柱体９の底面の内角Ａ１とが常に同角度になるように構成されているので、該略柱体９を所定の厚さ（高さ又は幅とも呼ぶ）で最前部の分割天板８Ａの裏面左右両端にしっかり取付けることにより、所定の傾斜角を強固に安定して保持することができる。【００２８】  本発明で使用される略柱体９は、図６の（ａ）〜（ｆ）に例示されるように種々の形状を取ることができる。これらに例示される略柱体９の重要な因子は、底面の内角Ａ１が本特許請求の範囲内であることが必要である。本特許に使用される略柱体９の形状は花弁、木の葉、模様等図６の（ｂ）〜（ｆ）に例示されるように意匠性を取り入れることも可能である。図６の（ｆ）に例示されるように略中空の骨格構造体として軽量化・図案化した形状を採用することも可能である。【００２９】  これらの多様性から、略柱体９の形状は、本発明の天板傾斜角可変机の重要な機能を担うほか、種々の意匠性を施すことが可能なため、机を楽しく使用できるため学習効果の向上、会社名等を施すことによる各種宣伝効果など種々の活用ができることも本発明の効果の一つである。【００３０】  更に、本発明の天板傾斜角可変机に係る略柱体９は、外観上目隠しの目安となる境界線（目隠し境界線３３）より該底面の形状とサイズが大きいので、目隠しとしての機能をも備え、天板を傾斜させた際に両側面から天板の裏面や隙間が見えることもなく、机の外観性を高めることができる。また、同様の観点より、安全カバーとしての機能をも備え、天板との隙間に不用意に手指が挟まれるのを防止することができる。【００３１】  また、本発明の天板傾斜角可変机に係る略柱体９は、該底面の内角Ａ１を所定の角度に保ちつつ、底面の各辺及び全体の寸法を目隠し境界線３３より小さい寸法にすること、及び略柱体９の構造を略中空構造にすることも可能である。略柱体９の小型化、略中空化は軽量化、コストダウンに繋がる他、天板８Ａの傾斜変更作業の容易さにも繋がる。なお、略柱体９を目隠し境界線３３より小さいサイズにする際、高硬度ゴム製、アセタール樹脂製、シリコン樹脂製、ポリスチレン樹脂製等の軟質系材料を略柱体９または略柱体９の底部に用いることにより、天板傾斜角変更時の作業静粛性、作業中に於ける指等の挟まれによる負傷防止などの安全性向上に繋がる。【００３２】  請求項３に係る発明は、図７で代表的な構造として説明する。底板１１、左右側板１３、背面板１２を有する箱型の天板傾斜角可変机本体１と、その天板の全部又は一部を奧行に向って天板８Ａ、８Ｂ、８Ｃのように複数個に分割され、蝶番で連結した、該最後部の分割天板の後端を天板傾斜角可変机本体１の背面板１２に連結して、前面側を傾動自在とした形態の天板８Ａから８Ｂと、該最前部の分割天板８Ａの裏面に固着した略柱体９と、前記最前部の分割天板８Ａの前端直下の左右傾斜案内支持部材１５上に形成した補助天板４と、底板１１上に立設した前記左右傾斜案内支持部材１５上に形成した傾斜案内部材１４の前端部に設けた傾斜角設定手段２０を備え、最前部の分割天板８Ａの表面後方左右の所定の位置に設けた半回転取手７を介して、ワンタッチ操作で最前部の分割天板８Ａを搖動させて、前記分割天板の全部又は一部を天板後方に移動したり前方に戻したりすることにより、瞬時に最前部の分割天板８Ａを所定の角度に傾斜したり水平に戻したりできることを特徴とする天板傾斜角可変机である。更に、本提案の天板傾斜角可変机を１ユニットとして、図１３、図１４、図１５及び図１６に例示する長机、円卓等の集合型天板傾斜角可変机を提供する。【００３３】  前記の段落番号００２７と同様、本発明の天板傾斜角可変机の最前部の分割天板８Ａが所定の角度で傾斜する際には、最前部の分割天板８Ａと二番目の分割天板８Ｂとが成す平面角と、最前部の分割天板８Ａの裏面に垂設された略柱体９の底面の内角Ａ１とが常に同角度になるように構成されているので、該略柱体９を所定の厚さ（高さ又は幅とも呼ぶ）で最前部の分割天板８Ａの裏面左右両端にしっかり取付けることにより、所定の傾斜角を強固に安定して保持することができる。【００３４】  前記の段落番号００２４と同様、天板傾斜角可変机の最前部の分割天板８Ａの表面後方左右に半回転取手７を設けているので、ワンタッチ操作で容易に且つ瞬時に天板の角度変更が可能である。このことにより特に学齢児童等が使用する学習机には安全性と作業性の容易さから有用な手段とすることができる。【００３５】  天板を奥行に向って３個に分割することによって、天板の後端上に机上棚が利用できる構造になり、多様な機能を持つ机として提供することが可能である。【００３６】  前記の段落番号００３０と同様、本発明の天板傾斜角可変机に係る略柱体９は、外観上目隠しの目安となる境界線（目隠し境界線３３）より該底面の形状とサイズが大きいので、目隠しとしての機能をも備え、天板を傾斜させた際に両側面から天板の裏面や隙間が見えることもなく、机の外観性を高めることができる。また、同様の観点より、安全カバーとしての機能をも備え天板との隙間に不用意に手指が挟まれるのを防止することができる。【００３７】  最前部の分割天板８Ａの前端直下に位置する補助天板４は、該天板８Ａが所定の角度で傾斜した状態下では、腕及び筆記用具並びにコーヒー等の置き部とすることができる。【００３８】  請求項４に係る発明は、図７〜図１０で代表���に説明する。本特許の請求項３に記載の傾斜角設定手段２０が、底板１１上に立設した左右傾斜案内支持部材１５上に形成した傾斜案内部材１４の前端部を切欠いて設けた係合切除部１７に取付けた傾斜角設定片ホルダー１９と、予め所定の傾斜角に準備した複数種の傾斜角設定片１８とで成り、選択した１種の傾斜角設定片１８を左右の傾斜角設定片ホルダー１９にそれぞれ嵌め込み、そこに最前部の分割天板８Ａの前端下部を係止させ、瞬時に所定の傾斜角を形成したり係脱したりすることができることを特徴とする。【００３９】  この傾斜角設定手段２０は、構造が極めて簡単であり、学齢児童でも所望の天板８Ａの傾斜角に従って、容易に所定の傾斜角設定片１８を選択し嵌め替えることができ、一度設定した好みの天板傾斜角は、傾斜角設定片１８を交換しない限り次回もそのままの状態で前回同様に使用でき、容易に瞬時に所定の傾斜角を形成したり係脱したりすることができる。
最前部の分割天板８Ａの傾斜角α１を変更する場合、所望するα１の角度に応じて傾斜角設定片１８を変更する必要がある。しかしながら、本特許の請求項１及び請求項２で示した天板傾斜角可変机と同様に、傾斜角設定片１８を取り換えることは一見不合理で、上記に述べた分割天板８Ａの傾斜角α１を大幅に変更できるといえないとの見方をされる場合を予測するが、実は不合理でないことを示す。つまり、通常特定の人が使用する机の天板傾斜角度はある一定の範囲内の角度に限定されることが多い。天板の傾斜角可変机を使用する特定の人は、大幅な傾斜角α１を変更するような使用方法は一般的には行わない。頻繁に分割天板８Ａの傾斜角α１を変更せず、限られた範囲内での分割天板８Ａの傾斜角α１を変更できれば使用に支障を及ぼさない。むしろ、分割天板８Ａの傾斜角α１を容易に安全に変更可能な作業性が優先される。【００４０】  それぞれの傾斜角設定片の係合切除部２２は、最前部の天板８Ａの前端下部が所定の傾斜角で係止する際に係合して予め形設しているので、それぞれの所定傾斜角を確実に安定して保持することができる。【００４１】  請求項５に係る発明は、図１１〜図１２で代表的に説明する。本特許の請求項３に記載の傾斜角設定手段２０が、底板１１上に立設した左右傾斜案内支持部材１５上に形成した傾斜案内部材１４の前端部を切欠いて設けた係合切除部１７上に直接、最前部の分割天板８Ａの前端下部を係止させて、瞬時に所定の傾斜角を形成したり係脱したりすることができることを特徴とする。【００４２】  本発明の構成は、請求項４に係る発明の傾斜角設定片ホルダー１９と傾斜角設定片１８を一体化して固定した形態であり傾斜角設定片ホルダーと傾斜角設定片は必要としない。従って、天板傾斜角の設定を予め１種に特定して常時使用するため複数種の天板傾斜角の設定準備を必要としない場合や使用者が不特定多数の会議・閲覧・講義等に使用される机の場合においては、より簡素化された本構成の傾斜角設定手段２０は好ましく、より作業性の安易な、より故障が少なく耐久性の高い、より安価な天板傾斜角可変机の提供に繋がる極めて有用な手段である。【００４３】  また、最前部の分割天板８Ａの前縁及び前端下部と、補助天板の後縁５及び傾斜案内部材１４の前端部を切欠いて設けた係合切除部１７とは係合して形設されているので、所定の傾斜角を確実に安定して保持することができる。【００４４】  請求項６に係る発明は、本特許の請求項１ないし請求項５のいずれかに記載の天板傾斜角可変机を１ユニットとして、２ユニット以上を組み合わせて成る長机、円卓などの集合型天板傾斜角可変机である。なお、該集合型天板傾斜角可変机とは、図１３、図１４、図１５及び図１６に例示するように、本発明の天板傾斜角可変机を１ユニットとして、複数ユニットを組み合わせた講義・学習・会議・閲覧等に使用される長机、円卓などである。【００４５】  本発明の天板傾斜角可変机を組み合わせて成る長机２４及び半円卓２５は、それぞれ使用者が自由に、瞬時に所定の天板傾斜角を形成したり、瞬時に係脱して水平状態に戻したりできるので、昼食時や休憩時にも不自由なく飲食等をすることができる。また、これらの長机２４及び半円卓２５は、最���部の分割天板８Ａの左右に袖天板２６を設けることができ、天板８Ａが傾斜した状態下でも筆記用具や資料、その他お茶やコーヒーカップ等の飲み物の置き部となり講義・学習・会議等で非常に有用である。【００４６】  また、所定の角度で傾斜した天板上に資料や筆記用紙を載置した状態で講義・学習・会議等に参加できるので、常に講師や会議メンバーの顔が見える適切な正しい姿勢が取れるので、相互のコミュニケーションを良くし、黒板やスライド・プロジェクターの画面を見ながら机上の用紙に容易にメモをとることが期待できる。
【発明の効果】
【００４７】  本発明の天板傾斜角可変机は、安全性、作業性等の効果の他、構造が極めて簡単であるため、故障が少なく耐久性の高い机としての提供が可能である。また、外観も従来の机と何ら違和感もなく、複雑な装置や高価な部材を必要としないので廉価な机として学習机、事務用机、ＯＡ機器用机、学校用机、製図用机、会議用机、閲覧用机、展示用机、その他ノートパソコンやタブレット及び製図板の載置用の机等として広く提供することが可能である。【００４８】  本発明の略柱体９を使用して天板の傾斜角を変更する機構は、本発明の天板傾斜角可変机に利用される他、傾斜板を利用する種々の構造体に幅広く応用することが可能である。例えば、玄関土間又はビルの出入口等に於いて、必要時に福祉や機能性からスロープを設け、或いは美観上から段差としたい要求がある場合に、容易に変更可能な構造体として利用することが可能である。この応用例は例えば、車椅子等の出入りや荷物の移動に伴う台車の出入りを容易にし、車椅子等が出入りしない状況下では床面と出入口をフラットの状態に戻し、段差を設けることが可能になる。また、アジやイワシ等の魚の干物を作る天日干し棚に応用することで、天日干し棚の角度を日照に合わせることが容易に可能となり、効率的な干物作りに貢献することに繋がる。このように本発明の機能は種々の分野で、安全性、意匠性、作業性の向上と効率化、更には安価な施工性と簡便な構造を持つ傾斜角可変装置として極めて有用な技術を提供するものである。
【図面の簡単な説明】
【００４９】
【図１】本発明の第１実施形態に係る天板傾斜角可変机を示す斜視図である。
【図２】第１実施形態に係る天板傾斜角可変机の総ての天板が水平の状態を示す図であり、図１のＥ−Ｅ線断面図である。
【図３】第１実施形態に係る天板傾斜角可変机の天板を傾斜させた状態を示す図であり図１のＥ−Ｅ線断面図である。天板が６個に分割され、自在の角度で折り曲げられるように蝶番で連結した。補助天板上の傾斜角設定手段を用いて、４段階に天板の傾斜角を変更した断面図を示す。
【図４】図３と同様であるが、分かり易いように補助天板上面の傾斜角設定手段を２個にして、２段階に天板の傾斜角を変更した断面図を示す。
【図５】図３と同様であるが、７段階に天板の傾斜角を変更した断面図を示す。
【図６】本発明で使用される略柱体の種々の形状を例示した略図である。
【図７】本発明の第２実施形態に係る天板傾斜角可変机の天板を傾斜させる構造を示す分解斜視図である。
【図８】第２実施形態に係る天板傾斜角可変机の総ての天板が水平の状態を示す図であり、図７のＦ−Ｆ線断面図である。
【図９】第２実施形態に係る天板傾斜角可変机の天板を傾斜させた状態を示す図であり、図７のＦ−Ｆ線断面図である。
【図１０】第２実施形態に係る天板傾斜角可変机の傾斜角設定片ホルダー及び傾斜角設定片の構造を（ｂ）〜（ｇ）に例示し、（ａ）に傾斜角設定片の例示を用いて天板の傾斜角が１９°、２１°、２３°に設定した時の図７のＦ−Ｆ線断面図を示す。更に、天板を持ち上げた時の状況も示した。
【図１１】本発明の第３実施形態に係る天板傾斜角可変机の天板を傾斜させる構造を示す分解斜視図である。
【図１２】第３実施形態に係る天板傾斜角可変机の傾斜角設定手段の構造を説明する図であり、図１１のＧ−Ｇ線断面図である。
【図１３】本発明の第４実施形態に係るスクール型配列の代表的例を示す斜視図である
【図１４】本発明の第４実施形態に係る略円型配列の代表的例を示す平面図である。
【図１５】本発明の第４実施形態に係る略半円型配列の代表的例を示す平面図である。
【図１６】本発明の第４実施形態に係る略ロ字型配列の代表的例を示す平面図である。
【発明を実施するための形態】
【００５０】  以下、本発明の実施の形態を添付図面に従って説明する。
【００５１】  第１実施形態
図１は、本発明の第１実施形態に係る天板傾斜角可変机を示す斜視図であり、天板傾斜角可変机本体１と袖机部２とを組み合わせた場合における天板を傾斜させる構造を示し、天板８Ａを所定の角度に傾斜させた状態を示している。図２は、第１実施形態に係る天板傾斜角可変机の総ての天板が水平の状態を示す図であり、図１のＥ−Ｅ線断面図である。図３は、第１実施形態に係る天板傾斜角可変机の天板を傾斜させた状態を示す図であり、図１のＥ−Ｅ線断面図である。天板が６個に分割され、自在の角度で折り曲げられるように蝶番で連結した。補助天板上の傾斜角設定手段を用いて、４段階に天板の傾斜角を変更した断面図を示す。また、図１〜図３は、天板を６個に分割した場合の例示である。図１に示すように、天板傾斜角可変机本体１は、底板１１、左右の側板１３、背面板１２を有する箱型である。その天板の全部を奥行に向って天板８Ａ、天板８Ｂ、天板８Ｃ、天板８Ｄ、天板８Ｅ、天板８Ｆの６個に分割され、複数の蝶番６Ａ〜６Ｅを介して、自在の角度で折り曲げられるようにそれぞれ所定の位置で連結した、該最後部の分割天板８Ｆを天板傾斜角可変机本体１の背面板１２に固設して前面側を傾動自在とした形態の天板８Ａから８Ｅと、該最前部の分割天板８Ａの裏面左右両端に垂設した略柱体９と、天板８Ａの前端直下の左右傾斜案内支持部材１５の上部に形成した補助天板４と、補助天板４と面一に連設して底板１１上に立設した前記左右傾斜案内支持部材１５の上部に形成した傾斜案内部材１４と、この傾斜案内部材１４の前端部に位置する前記補助天板４上に設けた傾斜角設定手段２０と、天板８Ａの前端に沿って上面に設けたストッパー片３０と、略柱体９が介在できるように側板１３と傾斜案内部材１４、傾斜案内支持部材１５との間に略柱体９の厚みに準ずる幅で垂設された間隙すなわち係合間隙部１６と、この係合間隙部１６を構成する前部支持部材２１、係合間隙部の底壁３１、係合間隙部の側壁３２と、底板１１を基盤として形成されている収納スペース３と、ワンタッチ操作で天板８Ａを搖動させる介助具として天板８Ａの表面後方左右の所定の位置に埋設した半回転取手７と、から成る。
【００５２】  係合間隙部１６は、左右の傾斜案内支持部材１５及びその上部に形設した傾斜案内部材１４と側板１３との間に略柱体９の厚みに準ずる幅で垂設された間隙であり、この中を略柱体９が介在できるように設けられ、天板８Ａを傾斜したり水平に戻したりする際に天板が左右にぶれるのを防ぐこともできる。
【００５３】  収納スペース３は、底板１１を基盤として補助天板４との間に形成されている。此処に引出しを設けてもよい。また、この収納スペース３の入口側を閉鎖して例えば天板８Ａ・８Ｂ・８Ｃ・８Ｄ・８Ｅ・８Ｆを上蓋とする収納ボックスとして使用してもよい。
【００５４】  ストッパー片３０は、天板８Ａの前端に沿って上面に、高さ１０ｍｍ程度で形成され、傾斜した天板８Ａから筆記用具や書類が滑り落ちるのを防止すると共に、天板８Ａに載置された用紙や資料の下端が整然と揃うので、精密な書類の作成時には使い勝手がよい。
【００５５】  図２に示すように、天板を奥行に向って天板８Ａ（奥行４６０ｍｍ）、天板８Ｂ（奥行７９ｍｍ）、天板８Ｃ（奥行４３ｍｍ）、天板８Ｄ（奥行４１ｍｍ）、天板８Ｅ（８７ｍｍ）、天板８Ｆ（奥行４０ｍｍ）の６個に分割され、天板８Ａと天板８Ｂは天板の裏面の所定の位置で複数の蝶番６Ａを介して、天板８Ｂと天板８Ｃは天板の表面の所定の位置で複数の蝶番６Ｂを介して、天板８Ｃと天板８Ｄは天板の表面の所定の位置で複数の蝶番６Ｃを介して、天板８Ｄと天板８Ｅは天板の表面の所定の位置で複数の蝶番６Ｄを介して、天板８Ｅと天板８Ｆは天板の表面の所定の位置で複数の蝶番６Ｅを介して、自在の角度で折り曲げられるようにそれぞれ連結した、該最後部の分割天板８Ｆが天板傾斜角可変机本体１の背面板１２の上端部に固設されている。
【００５６】  このような連結方法によれば、天板８Ｂとで構成される天板８Ａの傾斜角、天板８Ｂ＋天板８Ｃとで構成される天板８Ａの傾斜角、天板８Ｂ＋天板８Ｃ＋天板８Ｄとで構成される天板８Ａの傾斜角、天板８Ｂ＋天板８Ｃ＋天板８Ｄ＋天板８Ｅとで構成される天板８Ａの傾斜角、と４種類の所定の天板８Ａ傾斜角α１を設定することができる。更に、例えば、９個に分割された天板では７種類の所定の天板８Ａ傾斜角α１が、４個に分割された天板では２種類の所定の天板８Ａ傾斜角α１を設定することができる。
【００５７】  複数個に分割された天板の連結具は、蝶番に限らず、回転軸、軸受類、貫通ピン等であってもよい。
【００５８】  補助天板４は、最前部の分割天板８Ａの前端直下の左右傾斜案内支持部材１５の上部に形成され、該天板８Ａが水平の状態下では天板８Ａを支持している。なお、この補助天板４は、底板１１上に立設した左右の傾斜案内支持部材１５の上部に形設された傾斜案内部材１４と上面が面一の状態になるように傾斜案内部材１４の前端部の位置に連設して左右傾斜案内支持部材１５の上部に形成されている。
【００５９】  図２に示すように、天板８Ａが水平状態を成すとき、略柱体９の形状が大きくてその最長部分が底板１１より下方の位置に止まる際に、万一手指が挟まれたりすることが無いように、前端部に縦長で立設された前部支持部材２１と、係合間隙部１６の底部に設けた係合間隙部の底壁３１と、薄板の係合間隙部の側壁３２（一般的に「内はめ」と呼ばれている）と、で該略柱体９のいわゆる安全カバーが形成されている。
【００６０】  なお、この係合間隙部の底壁３１を設ける位置は、略柱体９の形状の大きさにより異なり、上下する。従って、略柱体９の形状が小さくて底板１１より上方の位置に止まる天板傾斜角可変机においては、該係合間隙部の底壁３１及び係合間隙部の側壁３２は省略し、且つ底板１１を左右の側板１３に伸びる１枚の通し板で設けることができる。同時に、前部支持部材２１の長さも係合して短くすることができる。
【００６１】  図３に示すように、補助天板４の上面には本発明の請求項１に係る天板傾斜角可変机の傾斜角設定手段２０が形設されている。この傾斜角設定手段２０は、天板８Ａがそれぞれ所定の傾斜角α１で傾斜する際に該天板８Ａの前端下部に係合して補助天板４の上面より深さ１０ｍｍの位置を切欠いて設けられた４個の係合切除部から成り、１７１は第１の係合切除部（本例示では傾斜角α１が１５度）、１７２は第２の係合切除部（本例示では傾斜角α１が２０度）、１７３は第３の係合切除部（本例示では傾斜角α１が２５度）、１７４は第４の係合切除部（本例示では傾斜角α１が３５度）と、から成る。また、天板８Ａの裏面に設けている略柱体の底面の内角Ａ１は、７５度となっている。
【００６２】  図３の天板８Ａ、８Ｂ、８Ｃ、８Ｄ、８Ｅ、８Ｆが実線で示される態様は、総ての天板が水平状態となっている図２の状態から、天板８Ａの表面後方左右の所定の位置に設けた半回転取手７を持ち上げて、天板８Ａの前端下部を第４の係合切除部１７４に係止させて天板８Ａが所定傾斜角α１：３５度で傾斜状態に保持されている状態を示す。次いで、この状態から半回転取手７を少し持ち上げて天板８Ａの前端下部を第３の係合切除部１７３に係止させると、図３の二点鎖線の仮想線（図中の第３の係合切除部１７３に関わっている二点鎖線をいう）で示すように、天板８Ｅが机の前面側に自動伏倒され、天板８Ａが所定傾斜角α１：２５度で傾斜した状態に保持される。次いで、この状態から同様にして天板８Ａの前端下部を第２の係合切除部１７２に係止させると、天板８Ｅに加えて天板８Ｄが同前面側に自動伏倒され、天板８Ａが所定傾斜角α１：２０度で傾斜した状態に保持される。更に、同様にして天板８Ａの前端下部を第１の係合切除部１７１に係止させると、天板８Ｅ及び天板８Ｄに加えて天板８Ｃが同前面側に自動伏倒され、天板８Ａが所定傾斜角α１：１５度で傾斜した状態に保持される。なお、この操作は、極めて簡単で、左右の半回転取手７を（鍋の蓋を持ち上げるときのように）ゆっくりと少し持ち上げて天板８Ａの前端下部を選択した係合切除部に係止させるだけであり、容易に瞬時にできる。また、この天板８Ａを所定の角度に傾斜したり水平に戻したりする操作は、上述のように順次に設定したり、また順次に係脱したりする必要はなく、例えば、総ての天板が水平状態から一気に第３の係合切除部１７３に係止させたり、第４の係合切除部１７４に係止の状態から一気に第１の係合切除部１７１に係止させたり、第４の係合切除部１７４に係止の状態から一気に総ての天板が水平状態に容易に瞬時にできる。
【００６３】  半回転取手７は、天板傾斜角可変机本体１の天板８Ａの傾斜角度を変更する場合、天板８Ａを持ち上げる手段として、天板８Ａの表面後方左右の所定位置（天板８Ａの後端から５０ｍｍ前端側と天板８Ａの左端及び右端からそれぞれ８０ｍｍ内側との交点となる位置が好ましい）に埋設した形態で設けられている。なお、本発明の天板傾斜角可変机の総ての形態で、天板８Ａを持ち上げる手段として市販のアイワ金属株式会社製のダイカスト半回転取手ＡＰ−６９９Ｇを好適として取り付けているが、その他の回転取手、ＡＢＳ樹脂製のツマミ、天板持ち上げ用の切目、穿孔等であってもよい。
【００６４】  図４は、本発明の第１実施形態に係る天板傾斜角可変机の天板を傾斜させた状態を示す第２の図である。図４に示すように、天板を奥行に向って天板８Ａ（奥行４６０ｍｍ）、天板８Ｂ（奥行８３ｍｍ）、天板８Ｃ（奥行１３２ｍｍ）、天板８Ｄ（奥行７５ｍｍ）の４個に分割され、天板８Ａと天板８Ｂは天板の裏面の所定の位置で複数の蝶番６Ａを介して、天板８Ｂと天板８Ｃは天板の表面の所定の位置で複数の蝶番６Ｂを介して、天板８Ｃと天板８Ｄは天板の表面の所定の位置で複数の蝶番６Ｃを介して、自在の角度で折り曲げられるようにそれぞれ連結され、該最後部の分割天板８Ｄが天板傾斜角可変机本体１の背面板１２の上端部に固設されている。
【００６５】  補助天板４の上面には本発明の請求項１に係る天板傾斜角可変机の傾斜角設定手段２０が形設されている。この傾斜角設定手段２０は、天板８Ａがそれぞれ所定の傾斜角α１で傾斜する際に該天板８Ａの前端下部に係合して補助天板４の上面より深さ１０ｍｍの位置を切欠いて設けられた２個の係合切除部から成り、１７１は第１の係合切除部（本例示では傾斜角α１が１５度）、１７２は第２の係合切除部（本例示では傾斜角α１が３０度）と、から成る。また、天板８Ａの裏面に設けている略柱体の底面の内角Ａ１は、８０度となっている。
【００６６】  図５は、本発明の第１実施形態に係る天板傾斜角可変机の天板を傾斜させた状態を示す第３の図である。図５に示すように、天板を奥行に向って天板８Ａ（奥行４００ｍｍ）、天板８Ｂ（奥行６６ｍｍ）、天板８Ｃ（奥行３８ｍｍ）、天板８Ｄ（奥行３８ｍｍ）、天板８Ｅ（奥行４０ｍｍ）、天板８Ｆ（奥行４２ｍｍ）、天板８Ｇ（奥行４６ｍｍ）、天板８Ｈ（奥行４８ｍｍ）、天板８１（奥行３２ｍｍ）の９個に分割され、天板８Ａと天板８Ｂは天板の裏面の所定の位置で複数の蝶番６Ａを介して、天板８Ｂと天板８Ｃは天板の表面の所定の位置で複数の蝶番６Ｂを介して、天板８Ｃと天板８Ｄは天板の表面の所定の位置で複数の蝶番６Ｃを介して、天板８Ｄと天板８Ｅは天板の表面の所定の位置で複数の蝶番６Ｄを介して、天板８Ｅと天板８Ｆは天板の表面の所定の位置で複数の蝶番６Ｅを介して、天板８Ｆと天板８Ｇは天板の表面の所定の位置で複数の蝶番６Ｆを介して、天板８Ｇと天板８Ｈは天板の表面の所定の位置で複数の蝶番６Ｇを介して、天板８Ｈと天板８Ｉは天板の表面の所定の位置で複数の蝶番６Ｈを介して、自在の角度で折り曲げられるようにそれぞれ連結され、該最後部の分割天板８Ｉが天板傾斜角可変机本体１の背面板１２の上端部に固設されている。
【００６７】  補助天板４の上面には本発明の請求項１に係る天板傾斜角可変机の傾斜角設定手段２０が形設されている。この傾斜角設定手段２０は、天板８Ａがそれぞれ所定の傾斜角α１で傾斜する際に該天板８Ａの前端下部に係合して補助天板４の上面より深さ１０ｍｍの位置を切欠いて設けられた７個の係合切除部から成り、１７１は第１の係合切除部（本例示では傾斜角α１が１５度）、１７２は第２の係合切除部（本例示では傾斜角α１が２０度）、１７３は第３の係合切除部（本例示では傾斜角α１が２５度）、１７４は第４の係合切除部（本例示では傾斜角α１が３０度）、１７５は第５の係合切除部（本例示では傾斜角α１が３５度）、１７６は第６の係合切除部（本例示では傾斜角α１が４０度）、１７７は第７の係合切除部（本例示では傾斜角α１が４５度）と、から成る。また、天板８Ａの裏面に設けている略柱体の底面の内角Ａ１は、８０度となっている。
【００６８】  図６の（ａ）〜（ｆ）は、本発明で使用される略柱体の種々の形状を例示した略図である。（詳細は、前記の段落番号００２８に示されている。）
【００６９】  本発明の第１実施形態は、以上の構成よりなる。ここで、本発明の第１実施形態に係る天板傾斜角可変机の天板を所定の角度に傾斜したり水平に戻したりする作業方法について説明する。
【００７０】  本発明の第１実施形態に係る天板傾斜角可変机の天板８Ａを所定の傾斜角に傾斜する際には、天板８Ａの表面後方左右の所定位置に設けられた半回転取手７を手指で起こし、（鍋の蓋を持ち上げるときのように）ゆっくりと少し持ち上げて、天板８Ａの前端下部を補助天板４の上面に設けられた複数個の係合切除部（１７１、１７２、１７３、・・・・・）のうち、選択した係合切除部に係止させれば、天板８Ａが所定の角度で傾斜し支持された状態となる。
【００７１】  また、傾斜した第１実施形態に係る天板傾斜角可変机の天板８Ａを水平状態に戻す際には、天板８Ａの表面後方左右の所定位置に設けられた半回転取手７を手指で起こし、（鍋の蓋を持ち上げるときのように）ゆっくりと少し持ち上げて天板８Ａの前端下部を補助天板４の上面に設けられた係合切除部から係脱させて、補助天板４の前端部上に移動させると天板８Ａが伏倒し、遂には分割天板の総てが水平状態に安定した形態、即ち天板傾斜角可変机の天板が水平状態に戻った状態となる。
【００７２】  なお、これらの操作は、極めて簡単で、学齢児童始め誰でも、容易に瞬時にできる。また、この天板８Ａを所定の角度に傾斜したり水平に戻したりする作業は、傾斜角度の昇順に設定したり、降順に係脱したりする必要もなく、例えば、総ての天板が水平状態から一気に選択した所定の傾斜角に、或いは傾斜した状態から一気に選択した次の所定の傾斜角に、或いは一気に総ての天板が水平状態にできる。
【００７３】  第２実施形態
図７は、本発明の第２実施形態に係る天板傾斜角可変机本体１と袖机部２とを組み合わせた場合における天板を傾斜させる構造を示す分解斜視図である。図８は、第２実施形態に係る天板傾斜角可変机の総ての天板が水平の状態を示す図であり、図７のＦ−Ｆ線断面図である。図９は、第２実施形態に係る天板傾斜角可変机の天板を傾斜させた状態を示す図であり、図７のＦ−Ｆ線断面図である。図１０は、第２実施形態に係る天板傾斜角可変机の傾斜角設定片ホルダー１９及び傾斜角設定片１８の構造を（ｂ）〜（ｇ）に例示し、（ａ）に傾斜角設定片１８の例示を用いて天板８Ａの傾斜角が１９°、２１°、２３°に設定した時の図７のＦ−Ｆ線断面図を示す。更に、天板８Ａを持ち上げた時の状況も示した。図７に示すように、天板傾斜角可変机本体１は、底板１１、左右の側板１３、背面板１２を有する箱型である。その天板の全部を奥行に向って天板８Ａ、天板８Ｂ、天板８Ｃの３個に分割され、所定の位置で複数の蝶番を介してそれぞれ連結した、該最後部の分割天板８Ｃの後端を天板傾斜角可変机本体１の背面板１２に固設して前面側を傾動自在とした形態の天板８Ａから８Ｂと、該最前部の分割天板８Ａの裏面左右両端に垂設した略柱体９と、天板８Ａの前端直下の左右傾斜案内支持部材１５の上部に形成した補助天板４と、底板１１上に立設した左右傾斜案内支持部材１５の上部に形成した傾斜案内部材１４の前端部を切欠いて設けた傾斜角設定手段２０と、天板８Ａの前縁に沿って覆設された緩衝縁材２３と、略柱体９が介在できるように側板１３と傾斜案内部材１４、傾斜案内支持部材１５との間に略柱体９の厚みに準ずる幅で垂設された間隙すなわち係合間隙部１６と、底板１１を基盤として形成されている収納スペース３と、ワンタッチ操作で天板８Ａを搖動させる介助具として天板８Ａの表面後方左右の所定の位置に埋設した半回転取手７と、から成る。
【００７４】  図７〜図９において、第１実施形態の図１〜図５と主に次の四点が異なっている。
第一に、第２実施形態では図中に示す略柱体９の形状が略三角形状体であり、該一辺である斜辺部分が天板８Ａの裏面前端部まで延設された状態の形状とされている。従って、前部支持部材２１の上端部をこの略三角形状体の尖端部に係合した角度で切欠き、天板８Ａを安定して水平状態に支持できるようになっている。第二に、第２実施形態では天板が３個に分割されているが、第１実施形態では原則として３個以上に分割されている。第三に、傾斜角設定手段２０が後述のように異なっている。第四に、第２実施形態では天板８Ａが水平状態を成すとき、略柱体９の形状が小さいので該略柱体９の最長部分が底板１１より上方の位置に止まる。因って、第１実施形態の図１〜図５に示されるような係合間隙部の底壁３１及び係合間隙部の側壁３２は省略し、且つ底板１１を左右の側板１３に伸びる１枚の通し板で設けた形状になっている。同時に、前部支持部材２１の長さも係合して短くして形成されている。
【００７５】  図７に示すように、係合間隙部１６は、左右の傾斜案内支持部材１５及びその上部に形設した傾斜案内部材１４と側板１３との間に垂設された間隙であり、この中を略柱体９が介在できるように設けられ、天板８Ａを傾斜したり水平に戻したりする際に天板が左右にぶれるのを防ぐこともできる。なお、図７〜図９においては、前述のように、略柱体９の形状が小さいので係合間隙部の底壁３１及び係合間隙部の側壁３２は省略し、且つ底板１１を左右の側板１３に伸びる１枚の通し板で設けた形状になっている。同時に、前部支持部材２１の長さも係合して短くして形成されている。
【００７６】  第１実施形態と同様に、収納スペース３は、底板１１を基盤として補助天板４との間に形成されている。此処に引出しを設けてもよい。また、この収納スペース３の入口側を閉鎖して天板８Ａ・８Ｂ・８Ｃを上蓋とする収納ボックスとして使用してもよい。
【００７７】  緩衝縁材２３は、天板８Ａの搖動に係合して形成された略円弧状の例えばポリアセタール製等の合成樹脂部材で成り、天板８Ａの前縁に沿って覆設され且つ天板８Ａの上面より高く設けることが好ましく、傾斜した天板８Ａから筆記用具や書類が滑り落ちるのを防止すると共に、天板８Ａに載置された用紙や資料の下端が整然と揃うので、精密な書類の作成時には使い勝手がよい。
【００７８】  図８に示すように、天板を奥行に向って例えば天板８Ａ（奥行４６０ｍｍ）、天板８Ｂ（奥行１２０ｍｍ）、天板８Ｃ（奥行１７０ｍｍ）の３個に分割し、天板８Ａと天板８Ｂは天板の裏面の任意の位置で例えば複数の蝶番６Ａを介して、天板８Ｂと天板８Ｃは天板の表面の任意の位置で例えば複数の蝶番６Ｂを介して、それぞれ連結され、該最後部の分割天板８Ｃが天板傾斜角可変机本体１の背面板１２の上端部に固設されている。
【００７９】  第１実施形態と同様に、複数個に分割された天板の連結具は、蝶番が好適であるが、回転軸、軸受類、貫通ピンであってもよい。更に、取付ける位置や形状、材質、寸法は本特許の目的とする機能が発揮されれば、例示した手段に限定されるものでない。
【００８０】  補助天板４は、最前部の分割天板８Ａの前端直下の左右傾斜案内支持部材１５の上部に形成され、該天板８Ａが水平の状態下では天板８Ａを支持している。なお、この補助天板４は、底板１１上に立設した左右傾斜案内支持部材１５の上部に形設された傾斜案内部材１４と上面が面一の状態になるように傾斜案内部材１４の前端部の位置に連設して、左右傾斜案内支持部材１５の上部に形成される。
【００８１】  第２実施形態に例示するような略柱体９の略三角形状は、変形に強い三角形構造体であり、所定の厚さ（高さ又は幅とも呼ぶ）で天板８Ａの裏面左右両端にしっかり取付けることにより、所定の傾斜角をより強固に安定して保持することができる。
【００８２】  本発明の各天板傾斜角可変机に係る略柱体９は、最前部の分割天板８Ａの裏面左右両端に限らず、最前部の分割天板８Ａの裏面後方中央部にも、或いは裏面後方に複数個を、或いは二番目の分割天板８Ｂの裏面に複数個を、設けた変形構造も可能である。
【００８３】  図９に示すように、略柱体９は、天板８Ａの奥行を斜辺とする略三角形状のもう一辺（天板８Ｂ側）の寸法を天板８Ｂの奥行寸法よりやや長くし、略三角形状とサイズを加工上の想像線１０及び目隠し境界線３３より大きくすることで、尖端部分が鈍角と成り製作加工がし易く、また、第１実施形態と同様に傾斜角度の変更作業の安定性及び安全性、並びに机の外観性を高めることができる。
【００８４】  略柱体９は、第１実施形態と同様に、最前部の分割天板８Ａ（平面）と隣り合う二番目の分割天板８Ｂ（平面）とが成す平面角と同角度の内角Ａ１を有する面分から成る略直角柱状の構造体であり、且つ該略柱体９の底面の内角Ａ１が、１５〜１３０度である。図９の略柱体の底面の内角Ａ１は７６度、天板８Ａの傾斜角α１は２３度である場合を例示した。
【００８５】  図１０の（ａ）〜（ｇ）は、本発明の第２実施形態に係る天板傾斜角可変机の傾斜角設定手段の構造を説明する概略図である。（ａ）は、本発明の第２実施形態に例示した天板傾斜角可変机の傾斜角設定手段２０の構造を説明する断面図である。（ｂ）は、本発明の第２実施形態に係る天板傾斜角可変机の傾斜角設定片１８を保持する傾斜角設定片ホルダー１９の側面図である。（ｃ）は、所定の天板傾斜角α１が１９度用の傾斜角設定片１８の側面図であり、（ｄ）は、同じく所定の天板傾斜角α１が２１度用の傾斜角設定片１８の側面図であり、（ｅ）は、同じく所定の天板傾斜角α１が２３度用の傾斜角設定片１８の側面図であり、（ｆ）は、同じく所定の天板傾斜角α１が３０度用の傾斜角設定片１８の側面図であり、（ｇ）は、同じく所定の天板傾斜角α１が１５度用の傾斜角設定片１８の側面図である。なお、これらの主要部の実寸法が図中の寸法線に記入されている。更に、各図について次に詳しく述べる。
【００８６】  図１０の（ａ）中の天板８Ａ、８Ｂが実線で示される態様は、半回転取手７を介して天板８Ａの前端部を少し持ち上げた状態であり、この位置での天板８Ａの前端下部先をＱ０で表すと、（ａ）中の二点鎖線で示す３態様の仮想線はこの実線の天板８Ａをそれぞれ１９度、２１度、２３度の３種の角度に傾斜させた状態を示し、傾斜角１９度の時の天板８Ａの前端下部先Ｑ０の位置はＱ１、同様に傾斜角２１度の時の天板８Ａの前端下部先Ｑ０の位置はＱ２、同様に傾斜角２３度の時の天板８Ａの前端下部先Ｑ０の位置はＱ３となる。従って、（ｃ）の所定傾斜角α１が１９度用の傾斜角設定片の係合切除部２２は、（ａ）中のＱ１の位置に、同様に（ｄ）の所定傾斜角α１が２１度用の傾斜角設定片の係合切除部２２は、（ａ）中のＱ２の位置に、同様に（ｅ）の所定傾斜角α１が２３度用の傾斜角設定片の係合切除部２２は、（ａ）中のＱ３の位置になるように設けられている。
【００８７】  また、図１０の（ａ）中に示すように、天板８Ａの前縁部が、天板８Ｂと天板８Ｃとの接点Ｐと前記天板８Ａの前端下部先Ｑ０との間の長さ（本例示では、約４７８ｍｍ）を半径として搖動することより、（ｃ）〜（ｅ）の傾斜角設定片の係合切除部２２はそれぞれこの天板８Ａの前縁部の搖動に係合して形成されている。
【００８８】  図１０の（ｂ）は、傾斜角設定片ホルダー１９である。
【００８９】  図１０の（ｃ）〜（ｇ）は、それぞれ傾斜角設定片１８である。それぞれの傾斜角設定片の係合切除部２２は、天板８Ａの前端下部が所定の傾斜角で確実に安定して係止できるように、それぞれ天板８Ａの前端下部及び前縁部の搖動に係合して形成されている。
【００９０】  本発明の第２実施形態に係る天板傾斜角可変机は、一例示として、天板８Ａの傾斜角α１を２０度付近に照準を合わせて前述のようにその天板８Ａの所定傾斜角が小（１９度）、中（２１度）、大（２３度）の３種が準備されている。更に、大きな所定傾斜角を追加したり、或いは小さな所定傾斜角を追加したり、或いは１種の傾斜角に特定したりすることも可能である。
【００９１】  例えば、天板８Ｂの奥行１８１ｍｍと奥行８０ｍｍの２種類を追加準備した。
先ず、天板８Ｂ（奥行１２０ｍｍ）を奥行が１８１ｍｍの天板８Ｂに取り換えて、図１０の（ｆ）の傾斜角設定片１８を使用すれば、所定傾斜角α１が３０度となる。次に、天板８Ｂ（奥行１２０ｍｍ）を奥行８０ｍｍの天板８Ｂに取り換えて、図１０の（ｇ）の傾斜角設定片１８を使用すれば、所定傾斜角α１が１５度となる。このように、大幅に傾斜角を変更する場合は天板８Ｂと傾斜角設定片１８の部材を変更することが必要である。
【００９２】  本発明の第２実施形態は、以上の構成よりなる。ここで、本発明の第２実施形態に係る天板傾斜角可変机の天板を所望の角度に傾斜したり水平に戻したりする作業方法について説明する。適宜、使用者は、予め準備されている複数種の傾斜角設定片１８の中から好みの１種を選択して、左右の傾斜角設定片ホルダー１９にそれぞれ嵌め込んでおくものとする。
【００９３】  本発明の第２実施形態に係る天板傾斜角可変机の天板を傾斜する際には、天板８Ａの表面後方左右の所定位置に設けた半回転取手７を手指で起こして漸次持ち上げていくと、天板８Ａの前端下部が補助天板４上を後面直線方向に漸次滑動し、補助天板の後縁５を通過後直ちに降下して係合切除部１７に設置された傾斜角設定片の係合切除部２２上に係止して、遂には天板８Ａと天板８Ｂを二面とする大きな略柱体が形成され天板傾斜角可変机本体１上に横たわった形態となる。即ち該天板８Ａが所定の角度で傾斜し支持された状態となる。
【００９４】  この傾斜した第２実施形態に係る天板傾斜角可変机の天板を水平状態に戻す際には、左右半回転取手７を手指で起こして少し持ち上げ、天板８Ａの前端下部を傾斜角設定片の係合切除部２２から係脱させて補助天板４の後端上に載せると、該補助天板４上を前面直線方向に漸次滑動し、遂には分割天板の総てが水平状態に安定した形態、即ち天板傾斜角可変机の天板が水平状態に戻った状態となる。
【００９５】  第３実施形態
図１１は、本発明の第３実施形態に係る天板傾斜角可変机の天板を傾斜させる構造を示す分解斜視図である。図１２は、第３実施形態に係る天板傾斜角可変机の傾斜角設定手段の構造を説明する図であり、図１１のＧ−Ｇ線断面図である。図１１に示すように、天板傾斜角可変机本体１は、底板１１、左右の側板１３、背面板１２を有する箱型である。その天板の全部を奥行に向って天板８Ａ（奥行４６０ｍｍ）、天板８Ｂ（奥行１２０ｍｍ）の２個に分割され、天板８Ａと天板８Ｂは天板の裏面の任意の位置で複数の蝶番６Ａを介して連結し、該最後部の分割天板８Ｂの後端を天板傾斜角可変机本体１の背面板１２に複数の蝶番６Ｂを介して連結して前面側を傾動自在とした形態の天板８Ａから８Ｂと、該最前部の分割天板８Ａの裏面左右両端に垂設した略柱体９と、天板８Ａの前端直下の左右傾斜案内支持部材１５の上部に形成した補助天板４と、底板１１上に立設した前記左右傾斜案内支持部材１５の上部に形成した傾斜案内部材１４の前端部を切欠いて設けた傾斜角設定手段２０と、天板８Ａの前縁に沿って覆設された緩衝縁材２３と、略柱体９が介在できるように側板１３と傾斜案内部材１４、傾斜案内支持部材１５との間に略柱体９の厚みに準ずる幅で垂設された間隙すなわち係合間隙部１６と、底板１１を基盤として形成されている収納スペース３と、ワンタッチ操作で天板８Ａを搖動させる介助具として天板８Ａの表面後方左右の所定の位置に埋設した半回転取手７と、から成る。
【００９６】  図１１〜図１２において、第１実施形態の図１〜図５と主に次の四点が異なっている。第一に、第３実施形態では天板が２個に分割されているが、第１実施形態では原則として３個以上に分割されている。第二に、傾斜角設定手段２０が異なっている。第３実施形態の傾斜角設定手段は、第２実施形態の傾斜角設定片ホルダー１９と傾斜角設定片１８を一体化して固定した形態にされていること、即ち、図１１及び図１２の係合切除部１７に示すように、底板１１上に立設した左右の傾斜案内支持部材１５上に形成した傾斜案内部材１４の前端部を切欠いて係合切除部１７を設け、其処へ直接に天板８Ａの前端下部を係止させて所定の傾斜角を形成することを特徴としている点である。従って、第３実施形態においては、前述の第２実施形態に示す傾斜角設定片ホルダー１９と傾斜角設定片１８が存在しない構成である。第三に、補助天板４の左右両端が左右の側板１３まで延設され、それに係合して前部支持部材２１の長さを短くして形成されている。第四に、天板８Ａが水平状態を成すとき、略柱体９の形状が小さくて、その最長部分が底板１１より上方の位置に止まるので、第１実施形態の図１〜図５に示されるような係合間隙部の底壁３１及び係合間隙部の側壁３２は省略し、且つ底板１１を左右の側板１３に伸びる１枚の通し板で設けた形状である。同時に、前部支持部材２１の長さも係合して短くして形成されていること。以上の四点が異なっている。
【００９７】  前記の「第三に」に示されている「補助天板４の左右両端が左右の側板１３まで延設され、それに係合して前部支持部材２１の長さを短くして形成されている」は、図１２で明らかなように、天板８Ａの裏面に固着されている略柱体９の形状が小さく、且つその先端が補助天板の後縁５の位置にまで至らない場合に採用される構成である。
【００９８】  図１２の天板８Ａ、８Ｂが実線で示される態様は、半回転取手７を介して天板８Ａの前端部を少し持ち上げた状態であり、この位置での天板８Ａの前端下部先をＱ０で表すと、図中の二点鎖線で示す１態様の仮想線は、この実線の天板８Ａを２１度の角度に傾斜させた状態を示し、傾斜角２１度の時の天板８Ａの前端下部先Ｑ０の位置は、Ｑ２（図１０のＱ２の位置と同様）となる。従って、本例示において、所定傾斜角α１が２１度用の係合切除部１７は、傾斜案内部材１４の前端部のこのＱ２の位置に、天板８Ａの前端下部の係止態様に係合して設けられる。
【００９９】  図１２に示すように、天板８Ａの前縁部が、天板８Ｂと背面板１２との接点Ｐと天板８Ａの前端下部先Ｑ０との間の長さ（本例示では、約４７８ｍｍ）を半径として搖動することより、補助天板の後縁５の上部１９ｍｍ部分は、この天板８Ａの前縁部の搖動に係合して、本例示では半径約４７８ｍｍの略円弧状をした凹面に切欠いて形設される。第３実施形態に例示したこれら主要部の実寸法を図中に記入した。
【０１００】  係合切除部１７は、図１２中に記入したように、背面板１２より補助天板４の方向へ至った位置（本例示では、４７５ｍｍ）で、深さ１９ｍｍ、長さ５１ｍｍの位置に傾斜案内部材１４を切欠き、傾斜角２１度用である係合切除部１７を示した。
【０１０１】  略柱体９は、第１実施形態及び第２実施形態と同様に、最前部の分割天板８Ａ（平面）と隣り合う二番目の分割天板８Ｂ（平面）とが成す平面角と同角度の内角Ａ１を有する面分から成る略直角柱状の構造体である。該略柱体９の底面の内角Ａ１は、１５〜１３０度の範囲で設計可能となり、図１２に例示した第３実施形態の略柱体の底面の内角Ａ１は７６度、天板８Ａの傾斜角α１は２１度であった。
【０１０２】  学校用机のように天板の奥行寸法が比較的短い机及び机上棚を必要としない机並びに長机及び円卓の場合には、より簡素化された本構成（第３実施形態）の天板傾斜角可変机は望ましい形態である。
【０１０３】  本発明の第３実施形態は、以上に例示したような構成よりなる。ここで、本発明の第３実施形態に例示した天板傾斜角可変机の天板を所望の角度に傾斜したり水平に戻したりする作業方法について説明する。
【０１０４】  天板傾斜角可変机の天板を傾斜する際には、天板８Ａの表面後方左右の所定位置に設けた半回転取手７を手指で起こして漸次持ち上げていくと、天板８Ａの前端下部が補助天板４上を後面直線方向に漸次滑動し、補助天板の後縁５を通過後直ちに降下して傾斜案内部材１４の前端部を切欠いて設けた係合切除部１７上に直接、天板８Ａの前端下部が係止して、遂には天板８Ａと天板８Ｂを二面とする大きな略柱体が形成され天板傾斜角可変机本体１上に横たわった形態となる。即ち該天板８Ａが所定の角度で傾斜し支持された状態となる。
【０１０５】  この傾斜した天板を水平状態に戻す際には、左右半回転取手７を手指で起こして少し持ち上げ、天板８Ａの前端下部を傾斜案内部材１４の前端部を切欠いて設けた係合切除部１７から係脱させて補助天板４の後端上に載せると、該補助天板４上を前面直線方向に漸次滑動し、遂には分割天板の総てが水平状態に安定した形態、即ち天板傾斜角可変机の天板が水平状態に戻った状態となる。
【０１０６】  本発明に係る天板傾斜角可変机は、学齢児童でも簡単に瞬時に該天板を傾斜したり水平に戻したりすることができるので、その具体的態様は、上記の第１〜第３実施形態に限定されるものではなく、他の種々の形態での実施が可能である。例えば、一般的に講義室や会議室等で使用されるスクール型配列、略円型配列、略半円型配列、略ロ字型配列のように、机を集合して使用する場合にも応用できる。なお、スクール型配列とは図１３に代表される。また、略円型配列とは図１４の（ａ）及び（ｂ）に代表される。また、略半円型配列、略ロ字型配列とは図１５及び図１６に代表されるような配列をいう。より具体的な内容を第４実施形態として以下に説明する。
【０１０７】  第４実施形態
以下、本発明に係る天板傾斜角可変机の第４実施形態を図面に従って説明する。なお、第４実施形態は、原則として、前述の第３実施形態に係る天板傾斜角可変机を１ユニットとして組み合わされている例示である。従って、前述の第３実施形態の天板傾斜角可変机と同一の部分には同一の符号が付記されている。なお、第４実施形態において、机の１ユニットとは、本発明に係る天板傾斜角可変机の１台且つ１名用領域を呼ぶこととする。
【０１０８】  前記１名用領域とは、長机や円卓の各々利用者が窮屈・不快を感じることなく使用できる１名分の使用可能領域を呼ぶこととする。そこで、少し快適に利用できるようにするには、前記の各１名用領域における傾斜可能な天板８Ａの幅寸法は、少なくとも１５．６型ワイドノートパソコン又は日本工業規格Ａ列３番横長用紙が載置できる寸法、好ましくは４２０ｍｍ程度以上、より好ましくは５００ｍｍ程度以上、更に好ましくは６００ｍｍ程度以上が望ましい。従って、少し快適で且つ有効な前記１名用領域の幅寸法は、７００ｍｍ程度以上が望ましい。同様の観点より、前記の各１名用領域における傾斜可能な天板８Ａの奥行寸法は、好ましくは３００ｍｍ程度以上、より好ましくは３５０ｍｍ程度以上、更に好ましくは４００ｍｍ程度以上が望ましい。従って、少し快適で且つ有効な該１名用領域の奥行寸法は、４５０ｍｍ程度以上が望ましい。
【０１０９】  また、一般的に、長机や円卓は、その利用者が常に代ることが多いので、第４実施形態においては前述の第３実施形態のように、天板を天板８Ａ、８Ｂの２個に分割し、複数の蝶番を介して連結し、そして、底板１１上に立設した左右傾斜案内支持部材１５上に形成した傾斜案内部材の前端部を切欠いて設けた係合切除部上に、直接、最前部の分割天板８Ａの前端下部を係止させて、所定の傾斜角を形成する構成とされている。また、第４実施形態において半回転取手７は、天板８Ａの表面後方中央部に１個設けられている。
【０１１０】  図１３は、本発明の第４実施形態に係るスクール型配列の代表的例を示す斜視図である。本代表的例においては、講義・学習・会議等に使用される長机２４に本発明に係る天板傾斜角可変机を２ユニット（３以上の複数ユニットとすることも可能）備え、２名用領域を有するスクール型配列を構成している。図１３に示すように、第４実施形態の配列に使用される長机２４及び半円卓２５には、天板８Ａの左右に袖天板２６が設けられている。また、各１名用領域の底板１１が、長机２４の左右の側板１３に伸びる１枚の通し板で設けられ、左右袖天板２６と底板１１との空間部に袖収納スペース２７がそれぞれ左右に設けられている。なお、第４実施形態においては、第３実施形態の図１１に示す左右側板１３に替えて１ユニットの側板２８が代用されている。
【０１１１】  図１４の（ａ）及び（ｂ）は、本発明の第４実施形態に係る略円型配列の代表的例を示す平面図である。（ａ）は、会議・学習・閲覧等に使用される半円卓２５に本発明に係る天板傾斜角可変机を３ユニット備え、該半円卓２５を集合して、６名用領域の略円型配列を構成している。また、（ｂ）は、本発明に係る天板傾斜角可変机を２ユニット備えた半円卓２５と本発明に係る天板傾斜角可変机を２ユニット備えた長机２４を集合して、８名用領域の略円型配列を構成している。前述の長机２４と同様に、該半円卓２５も天板８Ａの左右に袖天板を設けることができ、更に、該左右袖天板と底板との空間部に袖収納スペースをそれぞれ左右に設けることができる。ただし、前述の長机２４と異なり、該半円卓２５において、左右袖天板の形状は、略長方形ではなく略扇形に近い形状であり、また、左右袖収納スペースの形状は、略四角柱ではなく略扇形柱に近い形状となる。なお、各１名用領域の位置を明らかにするために、図１４〜図１６において椅子２９を配置している。
【０１１２】  図１５は、本発明の第４実施形態に係る略半円型配列の代表的例を示す平面図である。図１５に示すように、本発明に係る天板傾斜角可変机を３ユニット備えた半円卓２５と本発明に係る天板傾斜角可変机を２ユニット備えた長机２４を集合して、７名用領域の略半円型配列を構成している。
【０１１３】  図１６は、本発明の第４実施形態に係る略ロ字型配列の代表的例を示す平面図である。図１６に示すように、本発明に係る天板傾斜角可変机を２ユニット備えた長机２４を集合して、８名用領域の略ロ字型配列を構成している。なお、前記長机２４を１台省いてこの配列を変形した略コ字型配列としてもよい。
【０１１４】  また、これらのような配列による会議や学習等において、天板８Ｂの部分に各参加者の名前札や役割名称札等を貼ってメンバーの参加意識を高めることができる。
【０１１５】  以上に代表されるような配列により、本発明に係る天板傾斜角可変机を複数ユニット備えた長机及び円卓は、常に講師や会議メンバーの顔が見える適切な正しい姿勢が取れるので、相互のコミュニケーションを良くし、また、黒板やスライド・プロジェクターの画面を見ながら机上の用紙に容易にメモをとることができる。そして、学齢児童でも、簡単に、瞬時に、該天板を傾斜したり水平に戻したりすることができるので講義・学習・会議等に有用な机として応用することができる。
【実施例１】
【０１１６】  本発明の第１実施形態に係る天板傾斜角可変机において、天板８Ａの所定傾斜角を得る作業と傾斜した天板８Ａを水平に戻す作業を、下記の表１に示す６歳の学齢児童から７０歳の高齢者に至る男女１５名にそれぞれ体験してもらい、その各作業の所要時間をＣＡＳＩＯハンディストップウオッチＨＳ−７０Ｗで計測すると共に、その作業性の容易さ及び安全性の評価を段落番号０１１８に示す評価基準に従って行った。得られた結果を表１に示した。実施例１に用いた天板傾斜角可変机は、図３に準じて作製した。その略柱体の底面の内角Ａ１は７５度、半回転取手７はアイワ金属株式会社製のダイカスト半回転取手ＡＰ−６９９Ｇを天板８Ａの所定の位置に埋設した形態で取付けた。６歳の学齢児童から７０歳の高齢者に至る男女１５名での体験方法は、各自に天板８Ａの傾斜を得る作業方法と傾斜した天板８Ａを水平に戻す作業方法を実際に１回やって見せ説明し、その後それぞれに選択した好みの所定傾斜角を得る作業と水平に戻す作業を１〜２回予備体験してもらった後、好みの所定傾斜角を得る作業と水平に戻す作業をそれぞれ３回体験してもらった。【０１１７】
【表１】
2016104117.tif 000003
【０１１８】「作業性の容易さ及び安全性の評価基準」
◎：３秒以内で極めて簡単・スムーズに目的の作業ができ、作業性の容易さ及び安全        性が期待した水準をはるかに超えた
○：５秒以内で簡単・スムーズに目的の作業ができ、作業性の容易さ及び安全性が期        待した水準を上回った
□：１０秒以内で簡単に目的の作業ができ、作業性の容易さ及び安全性がほとんど期        待した水準であった
△：２０秒以内で目的の作業ができたが、作業性の容易さ又は安全性が期待した水準        をやや下回った
−：３０秒経過しても目的の作業ができない状態【０１１９】  表１の結果より、年齢や性別にとらわれることなく満６歳の学齢児童でも満７０歳の高齢者でも同様に、天板８Ａの所定傾斜角を得る作業及び傾斜した天板８Ａを水平に戻す作業を極めて簡単・スムーズに行うことができ、本発明の目的とした作業性の容易さについて期待した水準をはるかに超え、また、安全性についても何ら問題が無く、充分に満足できる結果であった。
【実施例２】
【０１２０】  本発明の目的とする分割天板８Ａの傾斜角α１を容易に安全に変更可能な作業性を備えた天板傾斜角可変机を製作するにあたり、該天板８Ａの裏面に固着されるべき略柱体９の底面の内角Ａ１の大きさの技術範囲、且つそのとき設定されるべき天板８Ａの傾斜角α１の大きさの技術範囲を見極めるべく、本発明者らは、下記の表２に示す天板傾斜角可変机の製作条件に従って、底面の内角Ａ１が種々の角度を有する略柱体を製作して取付け、本発明の第２実施形態の天板傾斜角可変机と同様の机の製作を試みた結果、得られた天板傾斜角可変机の製作可能な技術範囲とその作業性の評価は表３に示される通りであった。なお、表３の各升目に記載された８Ａ（天板８Ａの奥行ｃｍ）は、縦の行に記載された天板８Ａの傾斜角α１（度）と、横の行に記載された賂柱体の底面の内角Ａ１（度）との条件下で製作された種々の天板傾斜角可変机の中で天板８Ａの奥行寸法が４６ｃｍ（下記に示す最も好ましい奥行寸法範囲）に最も近いものを取り上げ、その作業性の評価を下の評価欄に記載した。その作業性の評価基準は下記の段落番号０１２３に示す通りであった。【０１２１】
【表２】
2016104117.tif 000004
【０１２２】
【表３】
2016104117.tif 000005
【０１２３】  天板８Ａの傾斜角α１変更に際して、予め天板８Ａ、８Ｂ、８Ｃの奥行寸法の合計を一定寸法に定めると、該傾斜角α１に従って、天板８Ａの奥行寸法に制約がある。机上の作業性からみると天板８Ａの奥行寸法がより長い方が良い。しかし、天板８Ａの奥行寸法があまり長いと作業性が悪くなり、且つ不恰好となる。従って、天板の角度保持安定性から天板８Ａの奥行寸法は、４６０〜５５０ｍｍが最も好ましく、好ましくは４００ｍｍ以上、少なくとも３００ｍｍ以上（ＪＩＳＡ３横長用紙又は１５．６型ワイドノートパソコンが載置できる寸法）を確保したい。因って、下記の「期待した水準」とは、天板８Ａの奥行寸法が少なくとも３００ｍｍ以上であり、また補助天板４の奥行寸法が３０ｍｍ以上３００ｍｍ未満で作業性が良く、且つ安全性に問題がない状態をいう。
「製作された天板傾斜角可変机の作業性の評価基準」
特◎：天板８Ａの奥行寸法が４６０ｍｍ以上であり、且つ安全性及び外観は良好で、そ        の作業性は期待した水準をはるかに超えた
◎：天板８Ａの奥行寸法が４００ｍｍ以上であり、且つ安全性に問題がなく、その作        業性は期待した水準を上回った
○：天板８Ａの奥行寸法が３００ｍｍ以上４００ｍｍ未満であり、且つ安全性に問題        がなく、その作業性は期待した水準であった
□：天板８Ａの奥行寸法が３００ｍｍ未満であり、且つ安全性に問題がなく、その作        業性は期待した水準をやや下回った
△：天板８Ａの奥行寸法が３００ｍｍ以上であるが、補助天板４の奥行寸法が３００        ｍｍ以上となり、その作業性は期待した水準をかなり下回った
−：表２に示す数値の製作条件下においては、製作不能であり、評価できない状態で        あった【０１２４】  表３の結果より、本発明の目的とする分割天板８Ａの傾斜角α１を容易に安全に変更可能な作業性を備えた天板傾斜角可変机を製作するには、その天板８Ａの裏面に固着されるべき略柱体の底面の内角Ａ１の大きさは、１５〜１３０度、好ましくは３０〜１２０度、より好ましくは４５〜１０５度、更に好ましくは５５〜８８度であり、そのとき設定されるべき天板８Ａの傾斜角α１の大きさは、１０〜６０度である。好ましくは天板８Ａの傾斜角α１が１２〜４５度である。より好ましくは天板８Ａの傾斜角α１が１２〜３５度である。なお、表３に示すように、天板８Ａの傾斜角α１が５度の欄は、天板８Ａの奥行寸法５５０ｍｍの天板傾斜角可変机の製作において、総てが「−」評価となっている。しかし、例えば、天板８Ａの厚さを２０ｍｍ以下に薄くすれば、この「−」評価部分も「◎」評価に変化させることができるが、天板８Ａの奥行寸法が６００ｍｍ以上となり「期待した水準」を下回り、また、本発明の天板傾斜角可変机が天板の傾斜角度を変えるという目的にして、天板８Ａの傾斜角α１が５度前後の非常に緩やかな角度は、本特許の目的とする技術範囲ではないものとされる。
【符号の説明】
【０１２５】１    天板傾斜角可変机本体
２    袖机部
３    収納スペース
４    補助天板
５    補助天板の後縁
α１  天板８Ａの傾斜角
６Ａ、６Ｂ、６Ｃ、６Ｄ、６Ｅ、６Ｆ、６Ｇ、６Ｈ・・・・・・蝶番
７    半回転取手
８Ａ、８Ｂ、８Ｃ、８Ｄ、８Ｅ、８Ｆ、８Ｇ、８Ｈ、８Ｉ・・・天板（分割天板）
９    略柱体
Ａ１  略柱体の底面の内角
Ａ２  略柱体の底面の内角
１０  加工上の想像線
１１  底板
１２  背面板
１３  側板
１４  傾斜案内部材
１５  傾斜案内支持部材
１６  係合間隙部
１７  係合切除部
１７１  第１の係合切除部
１７２  第２の係合切除部
１７３  第３の係合切除部
１７４  第４の係合切除部
１７５  第５の係合切除部
１７６  第６の係合切除部
１７７  第７の係合切除部
１８  傾斜角設定片
１９  傾斜角設定片ホルダー
２０  傾斜角設定手段
２１  前部支持部材
２２  傾斜角設定片の係合切除部
２３  緩衝縁材
２４  長机
２５  半円卓
２６  袖天板
２７  袖収納スペース
２８  １ユニットの側板
２９  椅子
３０  ストッパー片
３１  係合間隙部の底壁
３２  係合間隙部の側壁
３３  目隠し境界線
【図１】
2016104117.tif 000006
【図２】
2016104117.tif 000007
【図３】
2016104117.tif 000008
【図４】
2016104117.tif 000009
【図５】
2016104117.tif 000010
【図６】
2016104117.tif 000011
【図７】
2016104117.tif 000012
【図８】
2016104117.tif 000013
【図９】
2016104117.tif 000014
【図１０】
2016104117.tif 000015
【図１１】
2016104117.tif 000016
【図１２】
2016104117.tif 000017
【図１３】
2016104117.tif 000018
【図１４】
2016104117.tif 000019
【図１５】
2016104117.tif 000020
【図１６】
2016104117.tif 000021